(57)【要約】【課題】支持面に支持された複数枚のカードを順次搬送する場合において、供給部がカードを供給できなくなる不具合を抑制できるシート搬送装置を提供する。【解決手段】シート搬送装置１は、カードＣＡを含むシートＳＨを支持する支持面５１と、支持面５１に対向する位置に設けられた供給部４１と、供給部４１よりも搬送方向Ｄ１の下流側に設けられた分離部４２、４３と、支持面５１における搬送方向Ｄ１の下流側の支持端部５１Ｅに接続し、搬送方向Ｄ１の下流側に向かって上り傾斜して分離部４２、４３に接近する傾斜面５３と、支持面５１に設けられ、カードＣＡが支持面５１に支持される場合に、カードＣＡにおける搬送方向Ｄ１の下流側の第１端部ＣＡ１が供給部４１よりも搬送方向Ｄ１の下流側に位置するように、カードＣＡにおける搬送方向Ｄ１の上流側の第２端部ＣＡ２の位置を規制する規制部７０と、を備える。【選択図】図８
2018184253.tif 000002
【特許請求の範囲】
【請求項１】
カードを含むシートを支持する支持面と、
前記支持面に対向する位置に設けられ、前記支持面に支持されるシートを搬送経路に沿って搬送方向の下流側に向けて供給する供給部と、
前記供給部よりも前記搬送方向の下流側に設けられ、前記供給部によって供給されるシートが複数枚であればシートを１枚ずつに分離しつつ前記搬送方向の下流側に向けて搬送する分離部と、
前記支持面における前記搬送方向の下流側の支持端部に接続し、前記搬送方向の下流側に向かって上り傾斜して前記分離部に接近する傾斜面と、
前記支持面に設けられ、前記カードが前記支持面に支持される場合に、前記カードにおける前記搬送方向の下流側の第１端部が前記供給部よりも前記搬送方向の下流側に位置するように、前記カードにおける前記搬送方向の上流側の第２端部の位置を規制する規制部と、を備えていることを特徴とするシート搬送装置。
【請求項２】
前記規制部が前記支持面の前記支持端部から前記搬送方向の上流側に向けて離間する距離は、前記カードの定型の長さと略等しい長さに設定されている請求項１記載のシート搬送装置。
【請求項３】
前記カードの外形状に沿って前記支持面から凹む凹み部を備え、
前記規制部は、前記凹み部を形成する内壁面のうち、前記搬送方向の上流側に位置して前記搬送方向に直交する幅方向に延びる第１内壁面によって構成されている請求項１又は２記載のシート搬送装置。
【請求項４】
前記凹み部を形成する前記内壁面のうち、前記凹み部の底面を形成する第２内壁面は、前記搬送方向の下流側に向けて下り傾斜している請求項３記載のシート搬送装置。
【請求項５】
前記凹み部を形成する前記内壁面のうち、前記凹み部の底面を形成する第２内壁面に設けられた第１摩擦部材を備え、
前記第１摩擦部材は、前記規制部に対して前記搬送方向の下流側で隣接する位置に配置されている請求項３又は４記載のシート搬送装置。
【請求項６】
前記凹み部を形成する前記内壁面のうち、前記搬送方向の下流側に位置して前記幅方向に延びる第３内壁面は、前記傾斜面と面一である請求項３乃至５のいずれか１項記載のシート搬送装置。
【請求項７】
前記規制部は、前記支持面から突出するリブによって構成されている請求項１又は２記載のシート搬送装置。
【請求項８】
前記規制部は、前記支持面から突出する突出長さが前記搬送方向の上流側から下流側に向けて大きくなる傾斜形状である請求項７記載のシート搬送装置。
【請求項９】
前記突出長さは、前記カードの定型の厚みよりも大きく、かつ前記定型の厚みの２倍よりも小さい長さに設定されている請求項８記載のシート搬送装置。
【請求項１０】
前記支持面に設けられた第２摩擦部材を備え、
前記第２摩擦部材は、前記規制部に対して前記搬送方向の下流側で隣接する位置に配置されている請求項７乃至９のいずれか１項記載のシート搬送装置。
【請求項１１】
前記支持面又は前記傾斜面に交差して前記支持面に支持されるシートの先端を規制する第１位置と、前記支持面又は前記傾斜面から退避してシートの搬送を許容する第２位置との間で変位するストッパを備え、
前記ストッパは、前記第１位置で前記カードの前記第１端部も規制する請求項１乃至１０のいずれか１項記載のシート搬送装置。
【請求項１２】
前記供給部は、前記搬送方向に直交する幅方向に延びる第１軸心周りに回転駆動される供給ローラを含み、
前記分離部は、前記第１軸心と平行な第２軸心周りに回転駆動される分離ローラを含み、
前記第２軸心周りに揺動可能に支持されるとともに、前記供給ローラを前記第１軸心周りに回転可能に保持するホルダを備え、
前記ストッパが前記第２位置から前記第１位置に変位することに連動して、前記ストッパの上端部が前記ホルダに当接し、前記ホルダを前記支持面から離間させる請求項１１記載のシート搬送装置。
【請求項１３】
前記規制部は、前記カードが縦置き状態で前記支持面に支持される場合に、前記カードの短辺である前記第２端部を規制する第１規制部と、
前記カードが横置き状態で前記支持面に支持される場合に、前記カードの長辺である前記第２端部を規制する第２規制部と、を含んでいる請求項１乃至１２のいずれか１項記載のシート搬送装置。
【請求項１４】
前記搬送経路の途中に設けられ、前記搬送経路に沿って搬送されるシートの画像を読み取る読取部を備えている請求項１乃至１３のいずれか１項記載のシート搬送装置。
【発明の詳細な説明】
【技術分野】
【０００１】
本発明はシート搬送装置に関する。
【背景技術】
【０００２】
特許文献１に従来のシート搬送装置の一例である給紙装置が開示されている。この給紙装置は、給紙トレイ、ピックアップローラ、分離ローラ、フリクションパッド及び分離壁を備えている。
【０００３】
給紙トレイの上面によって、シートを支持する支持面が形成されている。ピックアップローラは、支持面に対向する位置に設けられている。ピックアップローラは、支持面に支持されるシートを搬送経路に沿って搬送方向の下流側に向けて供給する。分離ローラ及びフリクションパッドは、ピックアップローラよりも搬送方向の下流側に設けられている。分離ローラ及びフリクションパッドは、ピックアップローラによって供給されるシートが複数枚であればシートを１枚ずつに分離しつつ搬送方向の下流側に向けて搬送する。
【０００４】
分離壁は傾斜面を含んでいる。傾斜面は、支持面における搬送方向の下流側の支持端部に接続している。傾斜面は、搬送方向の下流側に向かって上り傾斜して分離ローラ及びフリクションパッドに接近する。
【０００５】
この給紙装置では、支持面に支持された複数枚のシートを順次搬送する場合に、それらのシートにおける搬送方向の下流側の端部が分離壁の傾斜面を上って、分離ローラ及びフリクションパッドのニップ位置に接近する。この際、最上位のシートに重なった状態で搬送されるシートと傾斜面との間に作用する摩擦抵抗により、分離ローラ及びフリクションパッドのニップ位置に向って多数枚のシートが供給されることを抑制するようになっている。
【先行技術文献】
【特許文献】
【０００６】
【特許文献１】特許第３６２８６０２号公報
【発明の概要】
【発明が解決しようとする課題】
【０００７】
ところで、上記従来の給紙装置では、支持面によって支持されるシートにカードが含まれる場合がある。カードは、一般的なシートと比較して、剛性が高い小面積の枚葉である。このため、支持面に支持された複数枚のカードを順次搬送する際、最上位のカードに重なった状態で傾斜面を上がったカードが自重によって傾斜面を滑りながら搬送方向の上流側に戻る現象が生じ易い。そして、傾斜面を滑り落ちたカードがピックアップローラよりも搬送方向の上流側にずれてしまうことにより、ピックアップローラがそのカードを供給できなくなる不具合が生じる可能性がある。このような不具合は、特に、支持面に支持される複数枚のカードのうちの最下位のカードに発生し易い。
【０００８】
本発明は、上記従来の実情に鑑みてなされたものであって、支持面に支持された複数枚のカードを順次搬送する場合において、供給部がカードを供給できなくなる不具合を抑制できるシート搬送装置を提供することを目的とする。
【課題を解決するための手段】
【０００９】
本発明のシート搬送装置は、カードを含むシートを支持する支持面と、
前記支持面に対向する位置に設けられ、前記支持面に支持されるシートを搬送経路に沿って搬送方向の下流側に向けて供給する供給部と、
前記供給部よりも前記搬送方向の下流側に設けられ、前記供給部によって供給されるシートが複数枚であればシートを１枚ずつに分離しつつ前記搬送方向の下流側に向けて搬送する分離部と、
前記支持面における前記搬送方向の下流側の支持端部に接続し、前記搬送方向の下流側に向かって上り傾斜して前記分離部に接近する傾斜面と、
前記支持面に設けられ、前記カードが前記支持面に支持される場合に、前記カードにおける前記搬送方向の下流側の第１端部が前記供給部よりも前記搬送方向の下流側に位置するように、前記カードにおける前記搬送方向の上流側の第２端部の位置を規制する規制部と、を備えていることを特徴とする。
【００１０】
本発明のシート搬送装置では、支持面に支持された複数枚のカードを順次搬送する際、最上位のカードに重なった状態で傾斜面を上がったカードは、自重によって第１端部が傾斜面を滑り、かつ第２端部が支持面を滑りながら搬送方向の上流側に戻る。この際、規制部は、第１端部が供給部よりも搬送方向の下流側に位置するように第２端部の位置を規制する。その結果、カードが供給部よりも搬送方向の上流側にずれることを抑制できる。
【００１１】
したがって、本発明のシート搬送装置では、支持面に支持された複数枚のカードを順次搬送する場合において、供給部がカードを供給できなくなる不具合を抑制できる。
【図面の簡単な説明】
【００１２】
【図１】実施例１の画像読取装置の模式断面図である。
【図２】実施例１の画像読取装置に係り、支持面、傾斜面及び搬送面を主に示す模式部分上面図である。
【図３】実施例１の画像読取装置の模式部分断面図である。
【図４】実施例１の画像読取装置の模式部分断面図である。
【図５】実施例１の画像読取装置の模式部分断面図である。
【図６】実施例１の画像読取装置の模式部分断面図である。
【図７】実施例１の画像読取装置の模式部分断面図である。
【図８】実施例１の画像読取装置の模式部分断面図である。
【図９】実施例１の画像読取装置の模式部分断面図である。
【図１０】カードに作用する力を説明する模式図である。
【図１１】実施例２の画像読取装置の模式部分上面図である。
【図１２】実施例２の画像読取装置の模式部分断面図である。
【図１３】実施例２の画像読取装置の模式部分断面図である。
【図１４】実施例２の画像読取装置の模式部分断面図である。
【発明を実施するための形態】
【００１３】
以下、本発明を具体化した実施例１、２について図面を参照しつつ説明する。
【００１４】
（実施例１）
図１に示すように、実施例１の画像読取装置１は、本発明のシート搬送装置の具体的態様の一例である。図１では、排出トレイ６が配置される側を装置の前方と規定し、排出トレイ６に対向した場合に左に来る側、すなわち、図１の紙面奥を左方と規定する。そして、図２以降に示す前後、左右及び上下の各方向は、全て図１に対応させて表示する。以下、図１等に基づいて、画像読取装置１が備える各構成要素について説明する。
【００１５】
＜全体構成＞
図１に示すように、画像読取装置１は、ハウジング９を備えている。ハウジング９は、上カバー８を含む複数の外装カバーを有する略箱状体である。また、ハウジング９は、図示しない内部フレーム、支持部材５０及び案内部材６０を有している。
【００１６】
支持部材５０は、前部分がハウジング９内で図示しない内部フレームに組み付けられ、後部分がハウジング９の後面から後方に突出している。案内部材６０は、ハウジング９内で図示しない内部フレームに組み付けられ、支持部材５０の前部分に上から対向している。支持部材５０及び案内部材６０はそれぞれ、前後方向及び左右方向に略平板状に延在している。
【００１７】
上カバー８は、ハウジング９の上面を覆い、ハウジング９の後端で下向きに屈曲して後端部８Ｅに至る。上カバー８の後端部８Ｅは、支持部材５０におけるハウジング９の後面から後方に突出する部分から上方に大きく離間している。上カバー８の後端部８Ｅと、支持部材５０におけるハウジング９の後面から後方に突出する部分との間には、導入口９Ｈが形成されている。
【００１８】
支持部材５０の前端部と案内部材６０の前端部とは、ハウジング９の前面に露出している。支持部材５０の前端部と案内部材６０の前端部との間には、排出口９Ｅが形成されている。ハウジング９の前面における排出口９Ｅよりも下方に離間した位置には、排出トレイ６の後端部が接続されている。排出トレイ６は、その後端部から前向きに略平板状に延びている。排出トレイ６の上面は、排出面６Ａとされている。
【００１９】
支持部材５０及び案内部材６０は、ハウジング９内において、導入口９Ｈから排出口９Ｅに至る搬送経路Ｐ１を規定している。なお、搬送経路Ｐ１が延びる方向や形状は、一例である。本実施例では、搬送方向Ｄ１は、導入口９Ｈから排出口９Ｅに向う方向、すなわち、前向きの方向である。また、搬送方向Ｄ１に直交する幅方向は、左右方向である。
【００２０】
より詳しくは、支持部材５０は、支持面５１、傾斜面５３及び搬送面５５を有している。
【００２１】
図１及び図２に示すように、支持面５１は、支持部材５０におけるハウジング９の後面から後方に突出する部分の上面を含み、導入口９Ｈを通過して搬送方向Ｄ１の下流側に向かって略水平に延びる平坦面である。支持面５１における搬送方向Ｄ１の下流側の支持端部５１Ｅは、ハウジング９内における前後方向の中間部と、導入口９Ｈとの間に位置している。
【００２２】
図３〜図９に示すように、支持面５１は、カードＣＡを含むシートＳＨを支持する。図３及び図４の例では、支持面５１は、用紙やＯＨＰシート等のシートＳＨを支持している。また、図５〜図９に示す例では、支持面５１は、カードＣＡを支持している。カードＣＡは、用紙やＯＨＰシートよりも剛性が高い小面積の枚葉であり、例えば、キャッシュカード、会員証又は免許証等である。なお、本実施例では、支持面５１が縦置き状態、すなわち長辺が搬送方向Ｄ１に沿って延びる状態のカードＣＡを支持することを想定している。
【００２３】
また、本実施例では、カードＣＡは、国際標準化機構（ＩＳＯ）／国際電気標準会議（ＩＥＣ）による国際規格７８１０のＩＤ−１で規定された定型のサイズを有しているものとする。また、カードＣＡは、ＩＳＯ／ＩＥＣの追加規定において銀行のプラスチック製キャッシュカードについて規定された厚みを有しているものとする。
【００２４】
具体的には、カードＣＡの定型の長辺の長さは、８５．６０ｍｍである。カードＣＡの定型の短辺の長さは５３．９８ｍｍである。カードＣＡの定型の厚みは、０．７６ｍｍである。これらの寸法は一例であり、画像読取装置１の読取対象となるカードの定型のサイズに応じて適宜設定される。
【００２５】
図１及び図２に示すように、傾斜面５３の下端部は、支持面５１の支持端部５１Ｅに接続している。傾斜面５３は、その下端部から搬送方向Ｄ１の下流側に向かって上り傾斜して上端部に至る平坦面である。傾斜面５３は、搬送経路Ｐ１における支持端部５１Ｅから上り傾斜する部分を下から規定している。
【００２６】
搬送面５５の後端部は、傾斜面５３の上端部に接続している。搬送面５５は、その後端部から搬送方向Ｄ１の下流側に向かって略水平に延びて排出口９Ｅに至る平坦面である。搬送面５５は、傾斜面５３の上端部と下端部との高低差により、支持面５１よりも一段高い位置にある。搬送面５５は、搬送経路Ｐ１における略水平に延びて排出口９Ｅに至る部分を下から規定している。
【００２７】
図２に示すセンターラインＣ１は、支持面５１、傾斜面５３及び搬送面５５における幅方向の中央を通過する直線である。図１は、図２のセンターラインＣ１を通る断面を示している。
【００２８】
なお、本実施例では、支持部材５０は一部材であるが、支持部材５０を複数の部材によって構成してもよい。例えば、支持部材５０は、ハウジング９から後方に突出する供給トレイと、ハウジング９内に位置するロアシュート部材とを含んで構成され、供給トレイの上面と、ロアシュート部材の後端部の上面とによって、支持面５１が形成されていてもよい。
【００２９】
図１に示すように、案内部材６０は、案内面６５を有している。案内面６５の後端部は、搬送面５５の後端部よりも搬送方向Ｄ１の下流側にずれた位置にある。案内面６５は、搬送面５５に上から対向する状態で、その後端部から搬送方向Ｄ１の下流側に向かって略水平に延びて排出口９Ｅに至る平坦面である。案内面６５は、搬送経路Ｐ１における略水平に延びて排出口９Ｅに至る部分を上から規定している。
【００３０】
画像読取装置１は、それぞれハウジング９内に設けられた制御部２、モータＭ１及び伝達機構５を備えている。また、画像読取装置１は、それぞれハウジング９内で搬送経路Ｐ１に沿って設けられた供給ローラ４１、ストッパ４７、分離ローラ４２、リタードローラ４３、搬送ローラ４４、搬送ピンチローラ４４Ｐ、読取センサ３Ａ、３Ｂ、排出ローラ４５及び排出ピンチローラ４５Ｐを備えている。
【００３１】
供給ローラ４１は、本発明の「供給部」の一例である。分離ローラ４２及びリタードローラ４３は、本発明の「分離部」の一例である。読取センサ３Ａ、３Ｂは、本発明の「読取部」の一例である。
【００３２】
制御部２は、画像読取動作時、モータＭ１及び読取センサ３Ａ、３Ｂを制御する。また、制御部２は、図示しない入出力パネル部等を介して、ユーザからの入力指令を受けたり、画像読取装置１の稼働状況や設定状況等を表示したりする。モータＭ１は、制御部２に制御されて正回転及び逆回転し、駆動力を発生させる。伝達機構５は、ワンウェイクラッチ５Ｃ１、５Ｃ２や、図示しない複数のギヤ、プーリー＆ベルト等を含んで構成されている。
【００３３】
モータＭ１が正回転する場合、伝達機構５において、ワンウェイクラッチ５Ｃ１が接続状態となる一方、ワンウェイクラッチ５Ｃ２が遮断状態となる。これにより、伝達機構５は、ワンウェイクラッチ５Ｃ１を経由して、供給ローラ４１、分離ローラ４２、搬送ローラ４４及び排出ローラ４５に駆動力を伝達する。
【００３４】
モータＭ１が逆回転する場合、伝達機構５において、ワンウェイクラッチ５Ｃ１が遮断状態となる一方、ワンウェイクラッチ５Ｃ２が接続状態となる。これにより、伝達機構５は、ワンウェイクラッチ５Ｃ２を経由して、ストッパ４７に駆動力を伝達する。
【００３５】
ハウジング９内には、回転軸４２Ｓ及びホルダ４９が設けられている。回転軸４２Ｓは、図示しない内部フレームによって、第２軸心Ｘ４２周りに回転可能に支持されている。第２軸心Ｘ４２は、搬送面５５と傾斜面５３との接続部よりも搬送方向Ｄ１の下流側に若干ずれた位置、かつ搬送面５５から上方に離間する位置で左右方向に延びている。回転軸４２Ｓには、分離ローラ４２が一体回転可能に取り付けられている。
【００３６】
ホルダ４９は、第２軸心Ｘ４２周りに揺動可能に回転軸４２Ｓに支持されている。ホルダ４９は、回転軸４２Ｓから離間し、傾斜面５３を越えるように後方に突出している。
【００３７】
ホルダ４９の後端部には、供給ローラ４１が第１軸心Ｘ４１周りに回転可能に保持されている。第１軸心Ｘ４１は、支持面５１の支持端部５１Ｅよりも搬送方向Ｄ１の上流側の位置、かつ支持面５１から上方に離間する位置で左右方向に延びている。第１軸心Ｘ４１と第２軸心Ｘ４２とは平行である。つまり、供給ローラ４１は、支持面５１に上から対向する位置に設けられている。
【００３８】
回転軸４２Ｓと供給ローラ４１とは、ホルダ４９内において伝達ギヤ群４９Ｇによって接続されている。伝達機構５は、接続状態のワンウェイクラッチ５Ｃ１、及び回転軸４２Ｓを経由して分離ローラ４２に駆動力を伝達する。この際、伝達機構５は、回転軸４２Ｓ及び伝達ギヤ群４９Ｇを経由して、供給ローラ４１にも駆動力を伝達する。
【００３９】
ホルダ４９の底壁部４９Ｂは、供給ローラ４１と分離ローラ４２との間で略平板状に延在している。底壁部４９Ｂの下面は、傾斜面５３に上から対向し、かつ搬送方向Ｄ１の下流側に向って上り傾斜している。
【００４０】
リタードローラ４３は、回転軸心Ｘ４３周りに回転可能にリタードローラ保持部４３Ｆに保持された状態で、分離ローラ４２の真下に設けられている。リタードローラ保持部４３Ｆの下面と図示しない内部フレームとの間には、圧縮コイルバネ４３Ｔが配置されている。回転軸心Ｘ４３は、搬送面５５から下方に離間する位置で左右方向に延びている。リタードローラ４３の外周面の一部は、搬送面５５から露出している。
【００４１】
リタードローラ４３は、圧縮コイルバネ４３Ｔによって、分離ローラ４２に向かって押圧され、ニップ位置Ｎ１において分離ローラ４２に当接している。ニップ位置Ｎ１は、搬送面５５と傾斜面５３との接続部よりも搬送方向Ｄ１の下流側に若干ずれた位置にある。換言すると、傾斜面５３は、分離ローラ４２及びリタードローラ４３のニップ位置Ｎ１に接近するように搬送方向Ｄ１の下流側に向かって上り傾斜している。
【００４２】
リタードローラ４３とリタードローラ保持部４３Ｆとの間には、図示しないトルクリミッタが設けられている。トルクリミッタは、分離ローラ４２に押圧されたリタードローラ４３に作用するトルクが所定値以下である場合、リタードローラ４３の回転を停止する一方、トルクが所定値を超える場合、リタードローラ４３の回転を許容するように作用する。
【００４３】
図２に示すように、供給ローラ４１は、左右方向においてセンターラインＣ１を挟んで互いに離間する位置で２箇所に設けられている。分離ローラ４２は、供給ローラ４１よりも搬送方向Ｄ１の下流側であって、左右方向においてセンターラインＣ１を挟んで互いに離間する位置で２箇所に設けられている。リタードローラ４３は、分離ローラ４２の真下であって、左右方向においてセンターラインＣ１を挟んで互いに離間する位置で２箇所に設けられている。
【００４４】
傾斜面５３には、ストッパ開口５３Ｈが形成されている。ストッパ開口５３Ｈは、左右方向においてセンターラインＣ１を挟んで互いに離間する位置で２箇所に設けられている。ストッパ開口５３Ｈは、支持面５１の支持端部５１Ｅを越えて支持面５１を若干切り欠くように形成された略矩形穴である。左方のストッパ開口５３Ｈは、左方の供給ローラ４１よりも左方にずれた位置にある。右方のストッパ開口５３Ｈは、右方の供給ローラ４１よりも右方にずれた位置にある。
【００４５】
ストッパ４７は、２箇所のストッパ開口５３Ｈに対応する位置であって、左右方向においてセンターラインＣ１を挟んで互いに離間する位置で２箇所に設けられている。
【００４６】
図３及び図４に示すように、ストッパ４７は、図示しない内部フレームによって、揺動軸心Ｘ４７周りに揺動可能に支持されている。揺動軸心Ｘ４７は、支持面５１の支持端部５１Ｅから下方に離間する位置で左右方向に延びている。ストッパ４７は、揺動軸心Ｘ４７周りに揺動することにより、図１〜図３及び図５に示す第１位置と、図４及び図６〜図９に示す第２位置との間で変位可能となっている。
【００４７】
ストッパ４７は、図３等に示す第１位置にある状態では、揺動軸心Ｘ４７から上向きに延びて図２に示すストッパ開口５３Ｈを通過し、傾斜面５３に交差する。この状態で、ストッパ４７の先端部４７Ａは、ホルダ４９の底壁部４９Ｂに当接して、ホルダ４９を支持面５１から上方に離間させる。その結果、供給ローラ４１が支持面５１から上方に離間する状態で保持される。また、この状態で、ストッパ４７における搬送方向Ｄ１の上流側を向く面は、ストッパ面４７Ｂである。ストッパ面４７Ｂは、支持面５１に直交して上下方向に延びる平坦面である。ストッパ面４７Ｂの下端は、支持面５１の支持端部５１Ｅと略一致している。ストッパ面４７Ｂは、供給ローラ４１の外周面の最下部よりも上方の位置まで延びている。
【００４８】
これにより、図３に示すように、第１位置にあるストッパ４７は、ユーザが支持面５１にシートＳＨをセットし、シートＳＨの先端を導入口９Ｈからハウジング９内に挿入する際、左右のストッパ面４７Ｂによって、そのシートＳＨの先端を規制することが可能となっている。
【００４９】
また、図２に示すように、ストッパ４７が第１位置にある状態で、左右のストッパ４７の離間距離ＬＷ４７は、縦置き状態で支持面５１に支持されるカードＣＡの定型の短辺の長さ（本実施例では５３．９８ｍｍ）よりも小さい長さに設定されている。これにより、図５に示すように、第１位置にあるストッパ４７は、ユーザが支持面５１にカードＣＡを縦置き状態でセットし、カードＣＡにおける搬送方向Ｄ１の下流側の第１端部ＣＡ１を導入口９Ｈからハウジング９内に挿入する際、左右のストッパ面４７Ｂによって、そのカードＣＡの第１端部ＣＡ１を規制することが可能となっている。
【００５０】
その一方、ストッパ４７は、図４等に示す第２位置にある状態では、先端部４７Ａまでがストッパ開口５３Ｈ内に進入することにより、傾斜面５３から退避する。この状態で、ストッパ４７がホルダ４９の底壁部４９Ｂから下方に離間することにより、ホルダ４９が支持面５１に向って揺動し、供給ローラ４１が支持面５１に接近する。
【００５１】
これにより、図４に示すように、第２位置にあるストッパ４７は、支持面５１に支持されるシートＳＨの搬送を許容することが可能となっている。また、図６〜図９に示すように、第２位置にあるストッパ４７は、支持面５１に支持されるカードＣＡの搬送を許容することが可能となっている。
【００５２】
図３及び図４等に示すように、揺動軸心Ｘ４７の近傍には、捩じりコイルバネ４７Ｔが配置されている。捩じりコイルバネ４７Ｔの一端部は、支持部材５０に係止されている。捩じりコイルバネ４７Ｔの他端部は、ストッパ４７の下端部に係止されている。ストッパ４７は、捩じりコイルバネ４７Ｔによって、図４及び図６〜図９に示す第２位置に向けて付勢されている。
【００５３】
モータＭ１が正回転する場合、伝達機構５のワンウェイクラッチ５Ｃ２が遮断状態となり、捩じりコイルバネ４７Ｔの付勢力によって、ストッパ４７が図４及び図６〜図９に示す第２位置に変位する。
【００５４】
その一方、モータＭ１が逆回転する場合、伝達機構５のワンウェイクラッチ５Ｃ２が接続状態となり、モータＭ１の駆動力によって、ストッパ４７が図１〜図３及び図５に示す第１位置に変位する。本実施例では、モータＭ１はステッピングモータである。ストッパ４７の第１位置は、制御部２の制御により、モータＭ１が所定の回転角度で逆回転した後、通電状態でその回転角度に保持されることにより、所定の位置に精度良く保持される。
【００５５】
図１及び図２に示すように、搬送ローラ４４は、分離ローラ４２及びリタードローラ４３よりも搬送方向Ｄ１の下流側に位置している。搬送ローラ４４は、外周面の一部を搬送面５５における前後方向の中間部から露出させる状態で、支持部材５０に回転可能に支持されている。伝達機構５は、接続状態のワンウェイクラッチ５Ｃ１を経由して搬送ローラ４４に駆動力を伝達する。
【００５６】
図１に示すように、搬送ピンチローラ４４Ｐは、外周面の一部を案内面６５における前後方向の中間部から露出させる状態で、案内部材６０に回転可能に支持されている。搬送ピンチローラ４４Ｐは、搬送ローラ４４に向けて押圧されており、搬送ローラ４４の回転によって従動回転する。
【００５７】
図１及び図２に示すように、読取センサ３Ａは、搬送ローラ４４よりも搬送方向Ｄ１の下流側の位置で、支持部材５０に組み付けられている。読取センサ３Ａとしては、例えば、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等が採用される。読取センサ３Ａの上を向く読取面は、搬送面５５とともに搬送経路Ｐ１の一部を下から規定している。
【００５８】
図１に示すように、読取センサ３Ｂは、搬送ピンチローラ４４Ｐよりも搬送方向Ｄ１の下流側の位置で、案内部材６０に組み付けられている。読取センサ３Ｂとしては、読取センサ３Ａと同種のセンサが採用される。読取センサ３Ｂの下を向く読取面は、案内面６５とともに搬送経路Ｐ１の一部を上から規定している。
【００５９】
図１及び図２に示すように、排出ローラ４５は、外周面の一部を搬送面５５の前端部から露出させる状態で、支持部材５０に回転可能に支持されている。伝達機構５は、接続状態のワンウェイクラッチ５Ｃ１を経由して排出ローラ４５に駆動力を伝達する。
【００６０】
図１に示すように、排出ピンチローラ４５Ｐは、外周面の一部を案内面６５の前端部から露出させる状態で、案内部材６０に回転可能に支持されている。排出ピンチローラ４５Ｐは排出ローラ４５に向けて押圧されており、排出ローラ４５の回転によって従動回転する。
【００６１】
＜凹み部、規制部及び第１摩擦部材の具体的構成＞
図１〜図３等に示すように、画像読取装置１は、凹み部８０、規制部７０及び第１摩擦部材９１を備えている。
【００６２】
凹み部８０は、支持面５１から下向きに凹むように支持部材５０に形成されている。図２に示すように、凹み部８０は、上面視した場合に、長辺が搬送方向Ｄ１に沿って延びる長方形状となっており、センターラインＣ１上に配置されている。凹み部８０の長辺の長さＬ７０は、カードＣＡの定型の長辺の長さ（本実施例では８５．６０ｍｍ）と略等しい長さに設定されている。凹み部８０の前方の短辺は、支持面５１の支持端部５１Ｅと略一致して左右方向に延びている。凹み部８０の短辺の長さＬＷ７０は、カードＣＡの定型の短辺の長さ（本実施例では５３．９８ｍｍ）よりも若干大きい長さに設定されている。
【００６３】
つまり、凹み部８０は、縦置き状態で支持面５１に支持されるカードＣＡの外形状に沿って支持面５１から凹んでいる。図５〜図９に示すように、凹み部８０の短辺の長さＬＷ７０がカードＣＡの定型の短辺の長さよりも若干大きいことにより、カードＣＡが凹み部８０内に進入可能となっている。
【００６４】
図２及び図３等に示すように、凹み部８０を形成する内壁面は、第１内壁面８１、第２内壁面８２及び第３内壁面８３を含んでいる。
【００６５】
第１内壁面８１は、搬送方向Ｄ１の上流側に位置して幅方向に延びる側面、すなわち、凹み部８０の後方の短辺に沿って左右方向に延び、かつ搬送方向Ｄ１の下流側を向く平坦面である。
【００６６】
第２内壁面８２は、凹み部８０の底面を形成している。第２内壁面８２の後端部は、第１内壁面８１の下端部に接続している。第２内壁面８２は、その後端部から搬送方向Ｄ１の下流側に向けて下り傾斜する平坦面である。
【００６７】
第３内壁面８３は、搬送方向Ｄ１の下流側に位置して幅方向に延びる側面、すなわち、凹み部８０の前方の短辺に沿って左右方向に延び、かつ搬送方向Ｄ１の下流側を向く平坦面である。第３内壁面８３の下端部は、第２内壁面８２の前端部に接続している。第３内壁面８３は、その下端部から前向きに上り傾斜し、支持端部５１Ｅと略一致する位置で傾斜面５３の下端部に接続している。第３内壁面８３は、傾斜面５３と面一である。
【００６８】
規制部７０は、第１内壁面８１の全面によって構成されている。すなわち、図２に示すように、規制部７０の左右方向の長さは、凹み部８０の短辺の長さＬＷ７０である。また、図３に示すように、規制部７０の上下方向の長さＬＨ７０は、第１内壁面８１の上下方向の長さである。規制部７０が他のサイズのシートＳＨに干渉しないことから、本実施例では、長さＬＨ７０は、カードＣＡの定型の厚み（本実施例では０．７６ｍｍ）よりも若干大きい長さに設定されている。
【００６９】
図２に示すように、規制部７０が支持面５１の支持端部５１Ｅから搬送方向Ｄ１の上流側に向けて離間する距離は、凹み部８０の長辺の長さＬ７０である。つまり、距離Ｌ７０は、カードＣＡの定型の長辺の長さ（本実施例では８５．６０ｍｍ）と略等しい長さに設定されている。
【００７０】
図２及び図３等に示すように、第１摩擦部材９１は、第２内壁面８２に設けられている。本実施例では、第１摩擦部材９１は、ゴムやエラストマ等からなる略矩形状の板材である。第１摩擦部材９１は、センターラインＣ１上であって、規制部７０に対して搬送方向Ｄ１の下流側で隣接する位置に配置されている。第１摩擦部材９１の表面は、第２内壁面８２よりも若干盛り上がっている。なお、第１摩擦部材９１は、表面に摩擦層が形成された薄い粘着シート等であって、第２内壁面８２に貼り付けられてもよい。
【００７１】
＜画像読取動作＞
上記構成である画像読取装置１では、電源が投入された時点で、制御部２が図示しないシート検知部の検出信号に基づいて、支持面５１にカードＣＡを含むシートＳＨが支持されているか否かを判断する。制御部２は、支持面５１にシートＳＨが支持されていると判断した場合、ユーザに対して、支持面５１からシートＳＨを取り除くように報知する。その一方、制御部２は、支持面５１にシートＳＨが支持されていないと判断した場合、モータＭ１を所定の回転角度で逆回転させ、その後、通電状態でその回転角度に保持する。伝達機構５は、接続状態のワンウェイクラッチ５Ｃ２を経由して、ストッパ４７に駆動力を伝達する。その結果、ストッパ４７は、捩じりコイルバネ４７Ｔの付勢力に抗して、図１〜図３及び図５に示す第１位置に変位する。また、ホルダ４９がストッパ４７の先端部４７Ａに押し上げられることにより、供給ローラ４１が支持面５１から上方に離間する状態で保持される。その結果、多数枚のシートＳＨの先端を導入口９Ｈからハウジング９内に挿入し易くなる。そして、制御部２は、画像読取装置１を待機状態とする。
【００７２】
次に、図３に示すように、ユーザが支持面５１に用紙やＯＨＰシート等のシートＳＨを支持させる場合について説明する。この場合、制御部２は、図示しないシート検知部の検出信号の変化に基づいて、その旨を判断する。この際、第１位置に保持されたストッパ４７のストッパ面４７Ｂによって、支持面５１に支持されるシートＳＨの先端が規制される。これにより、支持面５１に支持されるシートＳＨの先端位置のばらつきが抑制される。
【００７３】
そして、制御部２は、画像読取動作の実行指令を受けると、モータＭ１及び読取センサ３Ａ、３Ｂの制御を開始する。制御部２は、モータＭ１を正回転させる。これにより、図１に示す伝達機構５のワンウェイクラッチ５Ｃ２が遮断状態となり、図４に示すように、ストッパ４７が捩じりコイルバネ４７Ｔに付勢されて第２位置に変位する。その結果、支持面５１に支持されるシートＳＨの搬送が許容される。また、ストッパ４７がホルダ４９から下方に離間することにより、供給ローラ４１が支持面５１に接近し、支持面５１に支持される最上位のシートＳＨに当接する。そして、伝達機構５は、接続状態のワンウェイクラッチ５Ｃ１を経由して、供給ローラ４１、分離ローラ４２、搬送ローラ４４及び排出ローラ４５に駆動力を伝達し、それらを搬送方向Ｄ１に回転させる。
【００７４】
すると、供給ローラ４１は、支持面５１に支持されるシートＳＨを搬送経路Ｐ１に沿って搬送方向Ｄ１の下流側に向けて供給する。供給されるシートＳＨは、傾斜面５３を上って分離ローラ４２及びリタードローラ４３のニップ位置Ｎ１に到達する。この際、最上位のシートＳＨに重なった状態で搬送される他のシートＳＨと傾斜面５３との間に作用する摩擦抵抗により、ニップ位置Ｎ１に向って多数枚のシートＳＨが供給されることが抑制される。
【００７５】
ニップ位置Ｎ１に到達したシートＳＨは、分離ローラ４２及びリタードローラ４３にニップされ、搬送方向Ｄ１の下流側に向けて搬送される。ここで、リタードローラ４３は、ニップ位置Ｎ１に到達するシートＳＨが１枚であれば、図示しないトルクリミッタにより回転が許容され、分離ローラ４２の回転により、そのシートＳＨとともに搬送方向Ｄ１に従動回転する。その一方、リタードローラ４３は、ニップ位置Ｎ１に到達するシートＳＨが複数枚であれば、トルクリミッタにより回転が停止され、分離ローラ４２に接触するシートＳＨ以外のシートＳＨに対し、そのシートＳＨの搬送を止める力を付与する。
【００７６】
図１に示すように、搬送ローラ４４及び搬送ピンチローラ４４Ｐは、１枚ずつに分離されたシートＳＨを読取センサ３Ａ、３Ｂに向けて搬送する。読取センサ３Ａ、３Ｂは、そのシートＳＨの画像を読み取り、制御部２に画像情報を伝達する。排出ローラ４５及び排出ピンチローラ４５Ｐは、読取センサ３Ａ、３Ｂによって画像が読み取られたシートＳＨを排出トレイ６の排出面６Ａに排出する。
【００７７】
そして、制御部２は、画像読取動作の終了時、モータＭ１を所定の回転角度で逆回転させる。その結果、図１に示すように、ストッパ４７が第１位置に変位し、供給ローラ４１が支持面５１から上方に離間する状態で保持される。その後、制御部２は、画像読取装置１を待機状態とする。
【００７８】
次に、図５に示すように、ユーザが支持面５１にカードＣＡを縦置き状態で支持させる場合について説明する。この場合、制御部２は、図示しないシート検知部の検出信号の変化に基づいて、その旨を判断する。この際、第１位置に保持されたストッパ４７のストッパ面４７Ｂによって、支持面５１に支持されるカードＣＡの第１端部ＣＡ１が規制される。これにより、支持面５１に支持されるカードＣＡの先端位置のばらつきが抑制される。
【００７９】
この状態では、支持面５１に支持される最下位のカードＣＡの第２端部ＣＡ２は、凹み部８０内に進入し、規制部７０に対向している。
【００８０】
そして、制御部２が画像読取動作の実行指令を受けて、モータＭ１及び読取センサ３Ａ、３Ｂの制御を開始すると、図６に示すように、ストッパ４７が第２位置に変位し、供給ローラ４１が支持面５１に支持される最上位のカードＣＡに当接する。そして、図６〜図９に示すように、供給ローラ４１、分離ローラ４２、搬送ローラ４４及び排出ローラ４５が搬送方向Ｄ１に回転すると、支持面５１に支持される複数枚のカードＣＡが順次、搬送経路Ｐ１に沿って搬送され、読取センサ３Ａ、３Ｂによって画像が読み取られた後、排出面６Ａに排出される。
【００８１】
＜作用効果＞
実施例１の画像読取装置１では、図６〜図９に示すように、支持面５１に支持された複数枚のカードＣＡを順次搬送する際、カードＣＡの第１端部ＣＡ１が傾斜面５３を上り、カードＣＡの第２端部ＣＡ２が第２内壁面８２を滑る。この際、カードＣＡの剛性が高いことにより、カードＣＡにおける第１端部ＣＡ１と第２端部ＣＡ２との間に位置する領域が傾斜面５３及び第２内壁面８２から離間する状態となる。
【００８２】
そして、図８に示すように、最上位のカードＣＡに重なった状態で傾斜面５３を上がったカードＣＡは、自重によって第１端部ＣＡ１が傾斜面５３を滑り、かつ第２端部ＣＡ２が第２内壁面８２を滑りながら搬送方向Ｄ１の上流側に逆送される。
【００８３】
具体的には、図１０に示すように、第１端部ＣＡ１が傾斜面５３に当接し、第２端部ＣＡ２が第２内壁面８２に当接する状態のカードＣＡに対し、カードＣＡの自重によって、第１端部ＣＡ１に鉛直方向真下に向かって延びる第１力Ｆ１が作用し、第２端部ＣＡ２に鉛直方向真下に向かって延びる第２力Ｆ２が作用する。
【００８４】
第１力Ｆ１における傾斜面５３に沿って搬送方向Ｄ１の上流側に向う分力Ｆ１１は、カードＣＡを逆送させるように作用する。第１力Ｆ１における傾斜面５３に直交する分力Ｆ１２に対応して、第１端部ＣＡ１と傾斜面５３との間に、分力Ｆ１１とは逆向きの摩擦抵抗力ＦＲ１が作用する。プラスチック製等であるカードＣＡは傾斜面５３に対して滑り易いため、摩擦抵抗力ＦＲ１は小さい。
【００８５】
第２力Ｆ２における第２内壁面８２に沿って搬送方向Ｄ１の下流側に向う分力Ｆ２１は、逆送されるカードＣＡを減速させるように作用する。第２力Ｆ２における第２内壁面８２に直交する分力Ｆ２２に対応して、第２端部ＣＡ２と第２内壁面８２との間に、分力Ｆ２１と同じ向きの摩擦抵抗力ＦＲ２が作用する。プラスチック製等であるカードＣＡは第２内壁面８２に対して滑り易いため、摩擦抵抗力ＦＲ２は小さい。
【００８６】
図８に示すように、逆送されるカードＣＡの第２端部ＣＡ２が第１摩擦部材９１の表面を滑る際、第２端部ＣＡ２と第１摩擦部材９１との間には、搬送方向Ｄ１の下流側に向う摩擦抵抗力ＦＲ３が作用する。カードＣＡはゴムやエラストマ等からなる第１摩擦部材９１に対して滑り難いため、摩擦抵抗力ＦＲ３は、摩擦抵抗力ＦＲ１、ＦＲ２よりも大きく、逆送されるカードＣＡを確実性高く減速させることができる。
【００８７】
つまり、傾斜面５３を上がったカードＣＡに対して、図１０に示す分力Ｆ１１が逆送させるように作用する一方、図１０に示す分力Ｆ２１、及び図８に示す摩擦抵抗力ＦＲ３が減速させるように作用し、図１０に示す摩擦抵抗力ＦＲ１、ＦＲ２も寄与の程度は小さいが減速させるように作用する。
【００８８】
そして、図７及び図９に示すように、減速されながら逆送されるカードＣＡの第２端部ＣＡ２は、規制部７０によって当て止められる。ここで、上述した距離Ｌ７０の設定により、規制部７０は、第１端部ＣＡ１が供給ローラ４１よりも搬送方向Ｄ１の下流側に位置するように第２端部ＣＡ２の位置を規制する。その結果、カードＣＡが供給ローラ４１よりも搬送方向Ｄ１の上流側にずれることを抑制できる。
【００８９】
図９は、最下位のカードＣＡが一枚で逆送される場合において、規制部７０がそのカードＣＡの第２端部ＣＡ２の位置を規制する例を示している。図７は、複数のカードＣＡが上から重なる状態で最下位のカードＣＡが逆送される場合において、規制部７０がそのカードＣＡの第２端部ＣＡ２の位置を規制する例を示している。最下位のカードＣＡに重なるカードＣＡについても、最下位のカードＣＡとの間に作用する摩擦抵抗により、搬送方向Ｄ１の上流側にずれることが抑制される。
【００９０】
したがって、実施例１の画像読取装置１では、支持面５１に支持された複数枚のカードＣＡを順次搬送する場合において、供給ローラ４１がカードＣＡを供給できなくなる不具合を抑制できる。
【００９１】
また、この画像読取装置１では、カードＣＡが進入可能な凹み部８０を支持面５１から凹むように支持部材５０に形成し、その凹み部８０を形成する内壁面の一部である第１内壁面８１によって規制部７０を構成することで、図７及び図９等に示すように、カードＣＡの第２端部ＣＡ２の位置を確実に規制できる。また、図３及び図４に示すように、規制部７０が他のサイズのシートＳＨに影響を与えることがない。
【００９２】
さらに、この画像読取装置１では、図１０等に示すように、凹み部８０を形成する内壁面の一部である第２内壁面８２は、搬送方向Ｄ１の下流側に向けて下り傾斜している。これにより、逆送されるカードＣＡの第２端部ＣＡ２が第２内壁面８２を滑る際に、第２端部ＣＡ２に作用する分力Ｆ２１を大きくできる。その結果、規制部７０が第２端部ＣＡ２の位置を規制する手前で、分力Ｆ２１によってカードＣＡを減速させることができるので、カードＣＡが供給ローラ４１よりも搬送方向Ｄ１の上流側にずれることを一層抑制できる。
【００９３】
また、この画像読取装置１では、図８等に示すように、第２内壁面８２に設けられた第１摩擦部材９１は、規制部７０に対して搬送方向Ｄ１の下流側で隣接する位置に配置されている。これにより、逆送されるカードＣＡの第２端部ＣＡ２が第１摩擦部材９１の表面を滑る際に、第２端部ＣＡ２に作用する摩擦抵抗力ＦＲ３を大きくできる。その結果、規制部７０が第２端部ＣＡ２の位置を規制する手前で、摩擦抵抗力ＦＲ３によってカードＣＡを減速させることができるので、カードＣＡが供給ローラ４１よりも搬送方向Ｄ１の上流側にずれることを一層抑制できる。
【００９４】
さらに、この画像読取装置１では、図９等に示すように、第３内壁面８３が傾斜面５３と面一である。これにより、カードＣＡの第１端部ＣＡ１が第３内壁面８３を滑って傾斜面５３に引っ掛かりなく移行し、さらに傾斜面５３を上ることができるので、カードＣＡのスムーズな搬送を実現できる。
【００９５】
また、この画像読取装置１では、図５に示すように、第１位置にあるストッパ４７に第１端部ＣＡ１が規制されたカードＣＡは、傾斜面５３に当たっていない状態から搬送開始されるので、そのカードＣＡが傾斜面５３を上がった後の反動が大きくなり易く、搬送方向Ｄ１の上流側に一層逆送され易い。この点、規制部７０、第１摩擦部材９１及び第２内壁面８２の作用効果により、カードＣＡが供給ローラ４１よりも搬送方向Ｄ１の上流側にずれることを抑制できる。
【００９６】
さらに、この画像読取装置１では、図５に示すように、第１位置に変位したストッパ４７の先端部４７Ａがホルダ４９を押し上げて供給ローラ４１を支持面５１から上方に離間させる構成により、支持面５１に支持されるシートＳＨの最大枚数が増加し、それに応じて傾斜面５３の上端部と支持面５１の支持端部５１Ｅとの高低差が大きくなる。このため、カードＣＡが傾斜面５３を上がった後の反動が大きくなり易く、搬送方向Ｄ１の上流側に一層逆送され易い。この点、規制部７０、第１摩擦部材９１及び第２内壁面８２の作用効果により、カードＣＡが供給ローラ４１よりも搬送方向Ｄ１の上流側にずれることを抑制できる。
【００９７】
（実施例２）
実施例２の画像読取装置では、図１１及び図１２に示すように、実施例１の画像読取装置１に係る凹み部８０、規制部７０及び第１摩擦部材９１を支持面５１から無くし、その代わりに、支持面５１に第１規制部７１、第２規制部７２及び第２摩擦部材９１を設けている。第１規制部７１及び第２規制部７２はそれぞれ、本発明の「規制部」の一例である。また、図１１、図１３及び図１４に示すように、実施例２では、支持面５１が縦置き状態のカードＣＡ（以下、「ＣＡａ」という。）と、横置き状態、すなわち短辺が搬送方向Ｄ１に沿って延びる状態のカードＣＡ（以下、「ＣＡｂ」という。）とを支持することを想定している。実施例２のその他の構成は実施例１と同様である。このため、実施例１と同一の構成については同一の符号を付して説明を省略又は簡略する。
【００９８】
図１１及び図１２に示すように、第１規制部７１及び第２規制部７２はそれぞれ、支持面５１から突出するリブによって構成されている。図１２に示すように、第１規制部７１と第２規制部７２とは、側面視した場合の形状が同一である。第１規制部７１及び第２規制部７２はそれぞれ、支持面５１から突出する突出長さＬＲ１が搬送方向Ｄ１の上流側から下流側に向けて大きくなる傾斜形状である。突出長さＬＲ１は、カードＣＡの定型の厚み（本実施例では０．７６ｍｍ）よりも大きく、かつ、その定型の厚みの２倍よりも小さい長さに設定されている。第１規制部７１及び第２規制部７２のそれぞれの前端縁は、支持面５１に直交して上下方向に延びている。
【００９９】
図１１に示すように、第１規制部７１は、左右方向においてセンターラインＣ１を挟んで互いに離間する位置で２箇所に設けられている。第１規制部７１が支持面５１の支持端部５１Ｅから搬送方向Ｄ１の上流側に向けて離間する距離Ｌ７１は、縦置き状態のカードＣＡａの定型の長辺の長さ（本実施例では８５．６０ｍｍ）と略等しい長さに設定されている。
【０１００】
左右の第１規制部７１の離間距離ＬＷ７１は、縦置き状態のカードＣＡａの定型の短辺の長さ（本実施例では５３．９８ｍｍ）よりも小さい長さに設定されている。
【０１０１】
第２規制部７２は、左右方向においてセンターラインＣ１を挟んで互いに離間する位置で２箇所に設けられている。第２規制部７２が支持面５１の支持端部５１Ｅから搬送方向Ｄ１の上流側に向けて離間する距離Ｌ７２は、横置き状態のカードＣＡｂの定型の短辺の長さ（本実施例では５３．９８ｍｍ）と略等しい長さに設定されている。
【０１０２】
左右の第２規制部７２の離間距離ＬＷ７２は、横置き状態のカードＣＡｂの定型の長辺の長さ（本実施例では８５．６０ｍｍ）よりも小さい長さに設定されている。
【０１０３】
図１１及び図１２に示すように、第２摩擦部材９２は、支持面５１に設けられている。第２摩擦部材９２は、実施例１に係る第１摩擦部材９１と同様の素材からなる。第２摩擦部材９２は、センターラインＣ１上であって、第１規制部７１に対して搬送方向Ｄ１の下流側で隣接する位置に配置されている。第２摩擦部材９２の表面は、支持面５１よりも若干盛り上がっている。
【０１０４】
このような構成である実施例２の画像読取装置では、図１３に示すように、支持面５１に縦置き状態で支持された複数枚のカードＣＡａを順次搬送する際、カードＣＡａにおける搬送方向Ｄ１の下流側の第１端部ＣＡ１ａが傾斜面５３を上り、カードＣＡａにおける搬送方向Ｄ１の上流側の第２端部ＣＡ２ａが支持面５１を滑る。そして、最上位のカードＣＡａに重なった状態で傾斜面５３を上がったカードＣＡａは、自重によって第１端部ＣＡ１ａが傾斜面５３を滑り、かつ第２端部ＣＡ２ａが支持面５１を滑りながら搬送方向Ｄ１の上流側に逆送される。
【０１０５】
逆送されるカードＣＡａの第２端部ＣＡ２ａが第２摩擦部材９２の表面を滑る際、第２端部ＣＡ２ａと第２摩擦部材９２との間には、搬送方向Ｄ１の上流側に向う摩擦抵抗力ＦＲ４が作用する。摩擦抵抗力ＦＲ４によって、第１規制部７１の手前で、逆送するカードＣＡを確実性高く減速させることができる。
【０１０６】
そして、図示は省略するが、減速されながら逆送されるカードＣＡａの第２端部ＣＡ２ａは、第１規制部７１によって当て止められる。上述した距離Ｌ７１の設定により、第１規制部７１は、第１端部ＣＡ１ａが供給ローラ４１よりも搬送方向Ｄ１の下流側に位置するように第２端部ＣＡ２ａの位置を規制する。その結果、縦置き状態のカードＣＡａが供給ローラ４１よりも搬送方向Ｄ１の上流側にずれることを抑制できる。
【０１０７】
図１４に示すように、支持面５１に横置き状態で支持された複数枚のカードＣＡｂを順次搬送する際、カードＣＡｂにおける搬送方向Ｄ１の下流側の第１端部ＣＡ１ｂが傾斜面５３を上り、カードＣＡｂにおける搬送方向Ｄ１の上流側の第２端部ＣＡ２ｂが支持面５１を滑る。そして、図１４に二点鎖線でカードＣＡｂを示すように、最上位のカードＣＡｂに重なった状態で傾斜面５３を上がったカードＣＡｂは、自重によって第１端部ＣＡ１ｂが傾斜面５３を滑り、かつ第２端部ＣＡ２ｂが支持面５１を滑りながら搬送方向Ｄ１の上流側に逆送される。
【０１０８】
そして、図１４に実線でカードＣＡｂを示すように、逆送されるカードＣＡｂの第２端部ＣＡ２ｂは、第２規制部７２によって当て止められる。上述した距離Ｌ７２の設定により、第２規制部７２は、第１端部ＣＡ１ｂが供給ローラ４１よりも搬送方向Ｄ１の下流側に位置するように第２端部ＣＡ２ｂの位置を規制する。その結果、横置き状態のカードＣＡｂが供給ローラ４１よりも搬送方向Ｄ１の上流側にずれることを抑制できる。
【０１０９】
したがって、実施例２の画像読取装置では、支持面５１に縦置き状態で支持された複数枚のカードＣＡａを順次搬送する場合、及び、支持面５１に横置き状態で支持された複数枚のカードＣＡｂを順次搬送する場合において、供給ローラ４１がカードＣＡａ、ＣＡｂを供給できなくなる不具合を抑制できる。
【０１１０】
また、この画像読取装置では、図１２等に示すように、支持面５１から突出するリブである第１規制部７１及び第２規制部７２を容易に形成できる。
【０１１１】
さらに、この画像読取装置では、図１２等に示すように、第１規制部７１及び第２規制部７２はそれぞれ、支持面５１から突出する突出長さＬＲ１が搬送方向Ｄ１の上流側から下流側に向けて大きくなる傾斜形状である。これにより、他のサイズのシートＳＨの先端が第１規制部７１及び第２規制部７２に引っ掛かり難い。このため、第１規制部７１が他のサイズのシートＳＨに影響を与えることを抑制しつつ、縦置き状態のカードＣＡａの第２端部ＣＡ２ａの位置を規制できる。第２規制部７２も、第１規制部７１と同様である。
【０１１２】
また、この画像読取装置では、図１２に示すように、第１規制部７１及び第２規制部７２の突出長さＬＲ１は、カードＣＡの定型の厚み（本実施例では０．７６ｍｍ）よりも大きく、かつ、その定型の厚みの２倍よりも小さい長さに設定されている。これにより、図１３に示すように、第１規制部７１は、支持面５１に縦置き状態で支持される複数枚のカードＣＡａのうちの最下位のカードＣＡａの第２端部ＣＡ２ａの位置を規制し、最下位のカードＣＡａが供給ローラ４１よりも搬送方向Ｄ１の上流側にずれることを抑制できる。それに伴って、最下位のカードＣＡａに重なるカードＣＡａについても、最下位のカードＣＡａとの間に作用する摩擦抵抗により、搬送方向Ｄ１の上流側にずれることを抑制できる。第２規制部７２も、第１規制部７１と同様である。また、第１規制部７１及び第２規制部７２の突出長さＬＲ１を小さくすることで、第１規制部７１及び第２規制部７２が他のサイズのシートＳＨに影響を与えることを一層抑制できる。
【０１１３】
以上において、本発明を実施例１、２に即して説明したが、本発明は上記実施例１、２に制限されるものではなく、その趣旨を逸脱しない範囲で適宜変更して適用できることはいうまでもない。
【０１１４】
実施例１、２では、供給部が供給ローラ４１であるがこの構成には限定されない。例えば、供給部は無端ベルトでもよい。
【０１１５】
実施例１、２では、分離部が分離ローラ４２及びリタードローラ４３であるがこの構成には限定されない。例えば、分離部は、リタードローラの代わりに、分離パッドを有していてもよい。
【０１１６】
実施例では、距離Ｌ７０、Ｌ７１がカードＣＡの定型の長辺の長さと略等しい長さに設定されているがこの構成には限定されない。距離Ｌ７０、Ｌ７１は、カードＣＡの第１端部ＣＡ１が供給ローラ４１よりも搬送方向Ｄ１の下流側に位置する範囲で、カードＣＡの定型の長辺の長さよりも大きい長さに設定することができる。距離Ｌ７２も同様である。
【０１１７】
支持面５１には、左右方向にスライドしてシートＳＨを幅方向において位置決めするサイドガイドが設けられていてもよい。なお、この場合のサイドガイドは、規制部７０、第１、２規制部７１、７２及び凹み部８０と干渉しない形状とされる。
【産業上の利用可能性】
【０１１８】
本発明は例えば、画像読取装置、画像形成装置又は複合機等に利用可能である。
【符号の説明】
【０１１９】
１…シート搬送装置（画像読取装置）、ＣＡ…カード、ＳＨ…シート
５１…支持面、Ｐ１…搬送経路、Ｄ１…搬送方向、４１…供給部（供給ローラ）
４２、４３…分離部（４２…分離ローラ、４３…リタードローラ）
５１Ｅ…支持面の支持端部、５３…傾斜面
ＣＡ１、ＣＡ１ａ、ＣＡ１ｂ…カードの第１端部
ＣＡ２、ＣＡ２ａ、ＣＡ２ｂ…カードの第２端部
７０、７１、７２…規制部（７１…第１規制部、７２…第２規制部）
Ｌ７０、Ｌ７１、Ｌ７２…規制部が支持面の支持端部から搬送方向の上流側に向けて離間する距離
８０…凹み部、８１…第１内壁面、８２…第２内壁面、９１…第１摩擦部材
８３…第３内壁面、ＬＲ１…突出長さ、９２…第２摩擦部材
４７…ストッパ、Ｘ４１…第１軸心、Ｘ４２…第２軸心、４９…ホルダ
３Ａ、３Ｂ…読取部（読取センサ）
【図１】
2018184253.tif 000003
【図２】
2018184253.tif 000004
【図３】
2018184253.tif 000005
【図４】
2018184253.tif 000006
【図５】
2018184253.tif 000007
【図６】
2018184253.tif 000008
【図７】
2018184253.tif 000009
【図８】
2018184253.tif 000010
【図９】
2018184253.tif 000011
【図１０】
2018184253.tif 000012
【図１１】
2018184253.tif 000013
【図１２】
2018184253.tif 000014
【図１３】
2018184253.tif 000015
【図１４】
2018184253.tif 000016